(57)【要約】      （修正有）【課題】装飾対象物への造花の取り付けを比較的容易なものとした造花形成リボンと装飾対象物との組み合せを提供する。【解決手段】造花形成リボン１２は、互いに重ね合わされた一対のリボン片１８と、両リボン片間に配置され両リボン片の長手方向へ伸びる紐２０とを備える。両リボン片と紐とはこれらの一端部１８ａで互いに結合されており、両リボン片は、紐が両リボン片の他端部１８ｂに対して両リボン片の長手方向に相対移動可能であるように、両リボン片１８の長手方向に互いに間隔をおかれ両リボン片を横切る複数の線ｌのそれぞれの上の２つの結合箇所２２において互いに結合されている。造花形成用リボンは、その両リボン片の他端部１８ｂに隣接する線ｌ上の結合箇所２２の近傍において、装飾対象物１４に固着されている。【選択図】図１
0003186124.tif 000002
【実用新案登録請求の範囲】
【請求項１】
装飾用の造花形成リボンと装飾対象物との組み合わせであって、
前記造花形成リボンは、互いに重ね合わされた一対のリボン片と、両リボン片間に配置され両リボン片の長手方向へ伸びる紐とを備え、両リボン片と前記紐とはこれらの一端部で互いに結合され、両リボン片は、前記紐が両リボン片の他端部に対して両リボン片の長手方向へ相対移動可能であるように、両リボン片の長手方向に互いに間隔をおかれ両リボン片を横切る複数の線のそれぞれの上の２つの結合箇所において互いに結合され、
前記造花形成リボンは、両リボン片の他端部に隣接する前記線の上の前記結合箇所の近傍において、前記装飾対象物に固着されている、組み合わせ。
【請求項２】
前記造花形成リボンの両リボン片の他端部の一方はこれに隣接する前記結合箇所に沿って折り返され、これにより、両リボン片の他端部が山形を呈する、請求項１に記載の組み合わせ。
【請求項３】
前記造花形成リボンは前記装飾対象物に巻き付けられ、かつ、その両リボン片の一端部が前記装飾対象に解除可能に接着されている、請求項１に記載の組み合わせ。
【請求項４】
前記造花形成リボンは、両面粘着パッドを介して、前記装飾対象物に固着されている、請求項１に記載の組み合わせ。
【考案の詳細な説明】
【技術分野】
【０００１】
本考案は、造花形成リボンと、該造花形成リボンで形成される造花によって装飾される物品又はその包装からなる装飾対象物との組み合わせに関する。
【背景技術】
【０００２】
従来、装飾対象物を装飾するために用いられる造花を形成するための造花形成リボンが提案されている。この造花形成リボンは、互いに重ね合わされた一対のリボン片と、両リボン片の間に配置され両リボン片の長手方向へ伸びる紐と、前記装飾対象物に対する前記造花の接着機能を有するタックプレートとを備える（後記特許文献１参照）。
【０００３】
この造花形成リボンにあっては、両リボン片と紐とがこれらの一端部において互いに結合されている。両リボン片は、前記紐が両リボン片の他端部に対して前記両リボン片の長手方向へ相対移動可能であるように、両リボン片の長手方向に間隔をおかれ両リボン片を横切る複数の線のそれぞれの上の２つの結合箇所において互いに結合されている。前記タックプレートは前記紐に該紐に沿っての相対移動が可能であるように取り付けられている。
【０００４】
この造花形成リボンによれば、両リボン片の一端部がこれらの他端部に近接するように両リボン片の他端部に対して前記紐を相対移動させると、両リボン片における複数の線上の結合箇所が順次に重なり、また、前記線間の部分（前記結合箇所間の部分）が湾曲する。その結果、湾曲した線間部分を花弁としまたこれらの花弁を花冠とする造花が形成される。前記造花は、前記タックプレートを前記紐に沿って前記花冠に向けて移動した後、前記タックプレートを介して前記装飾対象物に固着することができる。
【０００５】
ところで、前記造花形成リボンにより形成された造花は複数の花弁からなる全体的に膨らんだ形態を有し、このような膨らんだ形態の造花を装飾対象物の表面にバランス良く固着することは比較的面倒な作業である。
【先行技術文献】
【特許文献】
【０００６】
【特許文献１】実用新案登録第３１７５１１７号公報
【考案の概要】
【考案が解決しようとする課題】
【０００７】
本考案は、装飾対象物への造花の取り付けを比較的容易なものとすることにある。
【課題を解決するための手段】
【０００８】
本考案は装飾用の造花形成リボンと装飾対象物との組み合わせに係る。前記造花形成リボンは、互いに重ね合わされた一対のリボン片と、両リボン片間に配置され両リボン片の長手方向へ伸びる紐とを備える。両リボン片と前記紐とはこれらの一端部で互いに結合されており、両リボン片は、前記紐が両リボン片の他端部に対して両リボン片の長手方向に相対移動可能であるように、両リボン片の長手方向に互いに間隔をおかれ両リボン片を横切る複数の線のそれぞれの上の２つの結合箇所において互いに結合されている。前記造花形成用リボンは、その両リボン片の他端部に隣接する前記線の上の結合箇所の近傍において、前記装飾対象物に固着されている。
【０００９】
本考案によれば、造花は、装飾対象物に固着された前記造花形成リボンの両リボン片の一端部が両リボン片の他端部に近接するように該他端部に対して前記紐を相対移動させることにより形成される。この相対移動により、両リボン片における複数の線上の結合箇所が順次に重なり合い、また、両リボン片の互いに隣接する２つの線の間の部分が湾曲する。湾曲した線間部分は前記造花の花弁を構成し、これらの花弁が前記造花の花冠を構成する。
【００１０】
前記造花は前記装飾対象物に固着された状態にある前記造花形成用リボンにより形成されるため、従来におけるような形成後の造花の装飾対象物への取り付け作業を必要としない。また、全体に膨らんだ形態をなす造花と異なり全体に帯状を呈する前記造花形成リボンは、前記装飾対象物への固着が比較的容易である。さらに、前記造花形成リボンの前記装飾対象物に対する固着箇所である両リボン片の他端部に隣接する前記線の上の結合箇所の近傍は、前記花弁の形成のために必要な前記線間部分の湾曲化の邪魔にならない位置でありまた造花の支持位置として適する。
【００１１】
両リボン片の他端部については、これらの一方がこれに隣接する前記結合箇所に沿って折り返され、これにより、両リボン片の他端部が山形を呈するものとすることができる。前記山形の他端部は前記花冠の背面側から垂れ下がり、前記花冠と共に装飾性を発揮するいわゆる「垂れ」をなす。
【００１２】
前記造花形成リボンは前記装飾対象物に巻き付けられ、かつ、その両リボン片の一端部が前記装飾対象物に解除可能に接着されているものとすることができる。これによれば、前記造花の形成の開始までは前記造花形成リボンが前記装飾対象物に巻き付けられた状態にしておき、前記装飾対象物の装飾に際し、前記装飾対象物から前記造花形成リボンの一端部を剥がし、前記造花形成リボンを造花に形成することができる。
【００１３】
また、前記造花形成リボンは、両面粘着パッドを介して、前記装飾対象物に固着することができる。
【図面の簡単な説明】
【００１４】
【図１】本考案に係る造花形成リボンと装飾対象物との組み合わせの一例を示す正面図である。
【図２】図１に示す組み合わせにおける造花形成リボンが造花に形成された状態を示す正面図である。
【図３】本考案に係る造花形成リボンと装飾対象物との組み合わせの他の一例を示す正面図である。
【図４】図３に示す組み合わせにおける造花形成リボンが造花に形成された状態を示す正面図である。
【図５】造花形成リボンの平面図である。
【図６】造花に形成される途上にある造花形成リボンの概略図である。
【考案を実施するための形態】
【００１５】
図１を参照すると、本考案に係る、造花形成リボン１２と装飾対象物１４との組み合わせ１０が示されている。
【００１６】
造花形成リボン１２は、固着手段１５を介して、造花対象物１４に固着されている。固着手段１５は、図１に示すような両面粘着パッド又は両面粘着テープ、図３に示すような粘着テープ片、接着剤（図示せず）等からなる。
【００１７】
造花形成リボン１２が固着された装飾対象物１４は、造花形成リボン１２により形成される造花１６（図２及び図４参照）の装飾作用を受ける任意の物である。図１及び図２並びに図３及び図４には、それぞれ、装飾対象物１４の一例としての装飾袋並びに瓶（ボトル）が示されている。
【００１８】
装飾対象物１４に固着された造花形成リボン１２は、これを造花１４に形成するまでの間、装飾対象物１４に巻き付け、かつ、その一部（図示の例では後記両リボン片１８の一端部１８ａ）を装飾対象物１４に例えば粘着テープ片１７を用いて解除可能に接着しておくことができる。
【００１９】
造花形成リボン１２は、これを装飾用対象物１４から分離した状態で示す図５及び図６を参照すると、互いに重ね合わされた一対のリボン片１８と、両リボン片１８の間に配置され両リボン片１８の長手方向へ伸びる紐２０とを備える。図示の紐２０は、互いに重ね合わされた、リボン片１８より幅の細いリボン片からなる。両リボン片１８はそれぞれ一端部１８a及び他端部１８ｂを有し、また、紐２０は一端部２０a及び他端部２０ｂを有する。
【００２０】
造花形成リボン１２の両リボン片１８と紐２０とは、これらの一端部１８ａ，２０ａにおいて互いに結合されている（結合箇所を符号２１で示す。）。また、両リボン片１８は、紐２０が両リボン片１８の他端部１８ｂに対して両リボン１８の長手方向に相対移動可能であるように、両リボン片１８の長手方向に互いに間隔をおかれ両リボン片１８を横切る複数の線（仮想線）ｌのそれぞれの上の２つの結合箇所２２において互いに結合されている。なお、図１及び図３に記載の造花形成リボン１２には、説明の便宜のため、両リボン片１８の他端部１８ｂに隣接する線ｌ及び該線上の２つの結合箇所２２のみを示した。
【００２１】
造花形成リボン１２による造花１６の形成は、図６に示すように、両リボン片１８の他端部１８ｂに対して紐２０を相対移動させることにより行う。より詳細には、両リボン片１８の他端部１８ｂの位置を固定して、図上において紐２０を下方に引くことにより行う。これにより、紐２０の一端部２０aとこれに固定されている両リボン片１８の一端部１８aとが両リボン片１８の他端部１８ｂに向けて移動し、両リボン片１８の一部分すなわち互いに隣り合う２つの線ｌ上の結合箇所２２間の部分（線間部分）２４が互いに反対方向へ湾曲する。紐２０の前記相対移動は、両リボン片１８の一端部１８aが他端部１８ｂに近接し、複数の線ｌ上の結合箇所２２が互いに重なり合うこととなるまで行う。その結果、複数の湾曲した線間部分２４を花弁とし、かつ、これらの花弁の集合を花冠とする造花１６（図２及び図４参照）が形成される。
【００２２】
造花１６が形成されるときに両リボン片１８の他端部１８ｂ間から伸び出ることとなる紐２０の大部分については、両リボン片１８に隣接する線２０の近傍の位置で装飾対象物１４に接着し、残りを切除することができる。これにより、両リボン片２０の他端部１８ｂとの相対移動を阻止し、造花１６の形態を維持することができる。あるいは、紐２０が前記細幅の両リボン片からなる場合には、これらの両リボン片を、両リボン片１８に隣接する線２０の近傍で互いに結び合わせる。これによって生じる結び目が紐２０と両リボン片１８の他端部１８ｂとの相対移動を阻止するストッパの役目をなす。これにより、両リボン片１８の両端部１８a、１８ｂが近接した状態、したがって造花１６の形態が維持される。前記結び目は造花１６の前記花冠により覆われる。前記結び目から先の部分、すなわち前記花冠から伸び出る部分についてはこれを切除することができる。
【００２３】
造花形成リボン１２は、両リボン片１８の他端部１８ｂに隣接する線ｌ上の結合箇所２２の近傍において、装飾対象物１４に固着されている。このため、両リボン片１８の他端部１８ｂは一端部１８ａに対してその位置が固定された状態におかれている。このことから、装飾対象物１４から粘着テープ片１７を剥がした後、図６を参照して前述したと同様にして、両リボン片１８の他端部１８ｂ間から紐２０を引き出し、一端部１８ａを他端部１８ｂに向けて移動させることにより形成することができる。造花１６はその形成過程から装飾対象物１４に固着されている。装飾対象物１４に対する造花形成リボン１２の前記固着の箇所は、造花１６の形成の邪魔にならず、また、形成後の造花１６の支持位置として適する。
【００２４】
造花１６を構成する前記花弁の数量は線ｌ間部分２４の数量により定まり、前記花弁の大きさを規定する前記花弁の長さ寸法は線ｌ間部分２４の長さ寸法により定まり、また、前記花弁の伸長方向はリボン片１８に対する線ｌの交差角度により定まる。前記花弁の数量、長さ、伸長方向等は造花１６の外観に影響を及ぼすものであるところ、これらは任意に定めることができる。
【００２５】
造花形成リボン１２の装飾対象物１４における固着位置は、図示の例に代えて、任意に定めることができる。
【００２６】
再び図１を参照すると、造花形成リボン１２は、装飾対象物１４である前記装飾袋の表面上に、その口２６を上に見て、その幅方向におけるほぼ中央位置であってかつ前記包装袋の上下方向における中央位置よりわずかに上方の位置において固着されている。
【００２７】
図１に示す造花形成リボン１２にあっては、また、両リボン片１８の他端部１８ｂが山形を呈するようにこれらの両他端部の一方１８ｂがこれに隣接する両結合箇所２２（線ｌ）に沿って折り返されている。さらに、これらの両結合箇所２２が上下方向に整列するようにおかれている。造花形成リボン１２は、山形の両他端部１８ｂの交差箇所に、両結合箇所２２のうちの一方が覆われるように接着された円形の平面形状を有する両面粘着パッド１５により、前記装飾袋に固着されている。これによれば、形成された造花１６の複数の花弁（２４）は上下方向に伸びる仮想線（図示せず）に対称をなす。また、全体に山形をなす両他端部１８ｂは、造花１６の前記花冠から垂れ下がるいわゆる「垂れ」をなす（図２参照）。
【００２８】
また、図３に示す造花形成リボン１２は、装飾対象物１４である前記瓶の首の下方位置においてその表面に前記粘着テープ片で固着されている。図示の例では、両他端部１８ｂが前記瓶に対して横向きに配置されている。このような配置とすることにより、形成後の造花１６の複数の花弁は、図上において傾斜方向に伸びる仮想線（図示せず）に対称をなす（図４参照）。また、この例では、両リボン片１８の他端部１８ｂはこれらの長さが比較的短いものに設定されており、このために前記「垂れ」は実質的に形成されず、造花１６の前記花冠の背面側に隠れる。
【００２９】
リボン片１８および紐２０は、好ましくは、それぞれ、ナイロン繊維やポリエステル繊維のような合成繊維製の織布からなり、溶接またはヒートシールにより互いに結合されている。リボン片１８および紐２０は、前記合成繊維製の織布の他、合成繊維製の不織布、ポリプロピレンやビニルのような合成樹脂製のテープ、紙製のテープ、天然繊維製の織布、天然繊維製の不織布等からなるものとすることができる。また、リボン片１８及び紐２０に関する前記結合は、前記溶接又はヒートシールに代えて、例えば接着剤による接着、糸による縫い合わせ等によるものとすることができる。両リボン片１８間の紐２０は、両リボン片１８と同じ材料からなる前記細幅のリボン片からなる例に代えて、任意の材質を有する単一の線材からなるもの、任意の材質を有する１組３枚以上の前記細幅のリボン片からなるもの等とすることができる。
【符号の説明】
【００３０】
１０  造花形成リボンと装飾対象物との組み合わせ
１２  造花形成リボン
１４  装飾対象物
１６  造花
１８  リボン片
２０  紐
２２  結合部
ｌ  線
【図１】
0003186124.tif 000003
【図２】
0003186124.tif 000004
【図３】
0003186124.tif 000005
【図４】
0003186124.tif 000006
【図５】
0003186124.tif 000007
【図６】
0003186124.tif 000008